(57)【特許請求の範囲】
【請求項１】
ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に内外を連通する通孔を設けたフロート受けを固定し、フロート受け内にフロートを自由状態で配し、フロート受けの上端をその上方の弁ケーシングから離間させて配置してフロート受けの上端とその上方の弁ケーシングとの間にフロート受けの内外を連通する連通路を設けたものにおいて、フロート受けの上端に上方内側の流出口に向って次第に小径となる円錐状傾斜壁を取付け、円錐状傾斜壁の上面とその上方の弁ケーシングとの間に上記連通路を形成したことを特徴とする排気弁。
【発明の詳細な説明】
【技術分野】
【０００１】
本発明は、配管に水を送り込むときに開弁して配管内の空気を排気し、排気が終われば閉弁し、また配管系の圧力が低下して真空状態となったときに開弁して外部空気を導入することにより真空状態を破壊する排気弁に関する。
【背景技術】
【０００２】
従来の排気弁は、ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に内外を連通する通孔を設けたフロート受けを固定し、フロート受け内にフロートを自由状態で配し、フロート受けの上端をその上方の弁ケーシングから離間させて配置してフロート受けの上端とその上方の弁ケーシングとの間にフロート受けの内外を連通する連通路を設けたものである。この排気弁は、先ず配管に水を送り込むときにはフロートが弁座から離座して降下した開弁状態であり、流入口から弁室内に流入してくる配管内の空気をリブの間の空間から連通路を通して及び通孔からフロート受け内を通して流出口に排気する。そして排気が終わって配管内の水が流入口から弁室内に流入してくると、リブの間の空間から連通路を通して及び通孔を通してフロート受け内に流入する水によってフロートが浮上して弁座に着座し閉弁する。また配管系の圧力が低下して真空状態となったときにはフロートが弁座から離座して降下し、流出口から弁室内に流入してくる外部空気をフロート受け内から通孔を通して及び連通路からリブの間の空間を通して流入口から配管内に導入することにより真空状態を破壊する。
【先行技術文献】
【特許文献】
【０００３】
【特許文献１】実公昭５１−５４２６３号公報
【発明の概要】
【発明が解決しようとする課題】
【０００４】
上記従来の排気弁は、水が流入口から弁室内に急激に流入してくると、フロートの浮上が遅れて流出口から漏水してしまう問題点があった。これは、水が急激に流入してくると、連通路を通過した空気の一部が弁室の上壁に衝突して跳ね返りフロートを下方に付勢するためである。
【０００５】
従って本発明の技術的課題は、水が流入口から弁室内に急激に流入してきても、漏水を生じない排気弁を提供することである。
【課題を解決するための手段】
【０００６】
上記の技術的課題を解決するために講じた本発明の技術的手段は、ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に内外を連通する通孔を設けたフロート受けを固定し、フロート受け内にフロートを自由状態で配し、フロート受けの上端をその上方の弁ケーシングから離間させて配置してフロート受けの上端とその上方の弁ケーシングとの間にフロート受けの内外を連通する連通路を設けたものにおいて、フロート受けの上端に上方内側の流出口に向って次第に小径となる円錐状傾斜壁を取付け、円錐状傾斜壁の上面とその上方の弁ケーシングとの間に上記連通路を形成したことを特徴とするものである。
【発明の効果】
【０００７】
本発明は、フロートカバーの上端に上方内側の流出口に向って次第に小径となる円錐状傾斜壁を取付け、円錐状傾斜壁の上面とその上方の弁ケーシングとの間に上記連通路を形成したものであるので、水が流入口から弁室内に急激に流入してきても、弁室の上壁に衝突して跳ね返る水を円錐状傾斜壁の上面に衝突させることにより、フロートを下方に付勢する水を少なくすることができる。そのため、フロートを下方に付勢する力を弱めることができ、漏水を生じることがないという優れた効果を生じる。
【図面の簡単な説明】
【０００８】
【図１】本発明の実施の形態に係わる排気弁の断面図である。
【発明を実施するための形態】
【０００９】
上記の技術的手段の具体例を示す実施例を説明する（図１参照）。本体１に蓋２をボルトで締結して内部に弁室３を有するケーシングを形成する。本体１の下部に流入口４を形成し、蓋２に流出口５を形成する。蓋２に弁座６を間に挟んで取付部材７をネジで固定する。本体１は弁室３の内壁に内側に突出した複数のリブ９を一体に有し、リブ９の内側に有底のほぼ円筒形状のフロート受け１０を配置する。フロート受け１０の底部は内外を連通する小さな開口面積の通孔１１を有する。フロート受け１０内に球形のフロート１２を自由状態で配置する。
【００１０】
フロート受け１０の上端に上方内側の流出口５に向って次第に小径となる円錐状傾斜壁１３を配置し、フロート受け１０と円錐状傾斜壁１３をスナップリング１４でリブ９に取付ける。円錐状傾斜壁１３の上面とその上方の蓋２との間に連通路１５を形成する。円錐状傾斜壁１３は中央にフロート１２の上部が出入りして弁座に離着座するための開口を有する。
【００１１】
上記の排気弁の動作は下記の通りである。先ず配管に水を送り込むときにはフロート１２は弁座６から離座して降下した開弁状態である。これにより、流入口４から弁室３内に流入してくる配管内の空気をリブ９の間の空間から連通路１５を通して及び通孔１１からフロート受け１０内を通して流出口５に排気する。そして排気が終わって配管内の水が流入口４から弁室３内に流入してくると、リブ９の間の空間から連通路１５を通して及び通孔１１を通してフロート受け１０内に流入する水によってフロート１２が浮上して弁座６に着座し閉弁する。これにより、水の漏出を防止する。このとき、配管内の水が流入口４から弁室３内に急激に流入してきても、弁室３の上壁に衝突して跳ね返る水を円錐状傾斜壁１３の上面に衝突させることにより、フロート１２を下方に付勢する水を少なくして、フロート１２を下方に付勢する力を弱めることができ、漏水を生じることがない。
【００１２】
また配管系の圧力が低下して真空状態となったときにはフロート１２が弁座６から離座して降下し開弁する。これにより、流出口５から弁室３内に流入してくる外部空気を連通路１５からリブ９の間の空間を通して及びフロート受け１０内から通孔１１を通して流入口４から配管内に導入することにより真空状態を破壊する。
【産業上の利用可能性】
【００１３】
本発明は、配管に水を送り込むときに開弁して配管内の空気を排気し、排気が終われば閉弁し、また配管系の圧力が低下して真空状態となったときに開弁して外部空気を導入することにより真空状態を破壊する排気弁に利用することができる。
【符号の説明】
【００１４】
１  本体
２  蓋
３  弁室
４  流入口
５  流出口
６  弁座
８  弁口
９  リブ
１０  フロート受け
１１  通孔
１２  フロート
１３  円錐状傾斜壁
１４  スナップリング
１５  連通路
【図１】
0005684651.tif 000002